(57)【要約】【課題】ユーザの好みの画像に対して光の演出効果を与えて楽しむことのできるライティング装置を提供する。【解決手段】ライティング装置は、任意の画像が印刷された透過性を有するシートの背面に設置された複数の発光体１３ａ，１３ｂ，１３ｃ…と、画像に対応させた固有の発光パターンを設定する発光パターン設定部１９ａと、この発光パターン設定部１９ａによって設定された発光パターンを画像に対応付けて記憶する記憶部２４と、記憶部２４に記憶された発光パターンに基づいて発光体１３ａ，１３ｂ，１３ｃ…を発光させて画像に光の演出効果を与える発光制御部１９ｂとを備える。【選択図】図１
2015039880.tif 000002
【特許請求の範囲】
【請求項１】
任意の画像が印刷された透過性を有するシートと、
このシートの背面に設置された発光手段と、
上記画像に対応させた固有の発光パターンを設定する発光パターン設定手段と、
この発光パターン設定手段によって設定された上記発光パターンに基づいて上記発光手段を発光させて上記画像に光の演出効果を与える発光制御手段と
を具備したことを特徴とするライティング装置。
【請求項２】
上記発光パターン設定手段によって設定された上記発光パターンを上記画像に対応付けて記憶する記憶手段をさらに備え、
上記発光制御手段は、
上記記憶手段に記憶された上記発光パターンに基づいて上記発光手段を発光させて上記画像に光の演出効果を与えることを特徴とする請求項１に記載のライティング装置。
【請求項３】
上記発光手段は、独立して制御可能な複数の発光素子から成り、
上記発光制御手段は、
上記記憶手段に記憶された上記発光パターンに基づいて上記各発光素子を発光させることを特徴とする請求項２記載のライティング装置。
【請求項４】
上記発光パターン設定手段によって設定された発光パターンには、上記画像の中の各箇所を発光させるタイミングを含み、
上記発光制御手段は、
上記タイミングに従って上記画像の中で指定された各箇所を順に発光させるように上記各発光手段を制御することを特徴とする請求項３記載のライティング装置。
【請求項５】
上記シートの所定の位置に付されたコードデータを読み取るコード読取り手段を備え、
上記発光制御手段は、
上記コード読取り手段によって読み取られたコードデータから当該画像に対応した発光パターンを取得し、その発光パターンに基づいて上記発光手段を発光させて上記画像に光の演出効果を与える請求項１乃至４のいずれかに記載のライティング装置。
【請求項６】
現在の日時情報を取得する日時取得手段と
設置場所の方角情報を取得する方角情報取得手段とを備え、
上記発光制御手段は、
上記日時取得手段によって取得された日時情報と上記方角情報取得手段によって取得された方角情報とに基づいて上記画像に対する日射しの動きを推測し、上記発光パターンに上記日射しの動きを反映させて上記発光手段を制御することを特徴とする請求項１乃至５のいずれかに記載のライティング装置。
【請求項７】
現在の位置情報を取得する位置取得手段と、
各地域の気象情報を取得する気象情報取得手段とを備え、
上記発光制御手段は、
上記位置取得手段によって取得された位置情報と上記気象情報取得手段によって取得された気象情報とに基づいて現在位置における気象変化を推測し、上記発光パターンに上記気象変化を反映させて上記発光手段を制御することを特徴とする請求項１乃至５のいずれかに記載のライティング装置。
【請求項８】
ランダム演出機能を設定するランダム演出設定手段を備え、
上記発光制御手段は、
上記ランダム演出設定手段によってランダム演出機能が設定されている場合には、上記画像に対して所定の影をランダムに入れて演出するように上記発光手段を制御することを特徴とする請求項１乃至５のいずれかに記載のライティング装置。
【請求項９】
任意の画像が印刷された透過性を有するシートと、このシートの背面に設置された発光体とを備えたライティング装置の発光制御方法であって、
上記画像に対応させた固有の発光パターンを設定するステップと、
上記発光パターンに基づいて上記発光体を発光させて上記画像に光の演出効果を与えるステップと
を備えたことを特徴とする発光制御方法。
【発明の詳細な説明】
【技術分野】
【０００１】
本発明は、任意の画像の背面から光を照らすライティング装置と、同装置に用いられる発光制御方法に関する。
【背景技術】
【０００２】
ステンドグラスは光を受けることで、ガラスの陰影を美しく空間に映し出すものである。例えば、南側に面した部屋の窓に設置すれば、ゆっくりと長い時間照らされた鮮やかなガラスの色を楽しむことができる。また、東側に面した部屋の窓に設置すれば、朝日から夕日までの日射しの変化をガラスの色を通して楽しむことができる。
【０００３】
ここで、ＰＣ(Personal Computer)を用いてステンドグラス風の画像を作成し、部屋の壁などに飾って楽しむことがある。しかし、このような画像は絵画としての美しさはあるものの、実際のステンドグラスのように日の光を受けて輝くような特性はない。
【０００４】
一方、季節や日時、気象、天候に応じて画像を変化させて表示する方法がある。例えば、風景の画像データを表示する際に、その画像データのヘッダ部に撮影月日、時間帯等の時間情報に加えて、明るさ、気温、湿度等の気象情報を記録しておく。この気象情報を天気センサの出力およびカレンダのタイマ時間と比較して、現在の時間帯または気象条件に最も適合率の高い風景を読み出してディスプレイに表示する方法がある（例えば、特許文献１参照）。
【０００５】
また、季節及び時刻に対応する輝度調整データ、色度調整データ、彩度調整データを予め記憶しておき、表示する絵画の色合い、色彩、明るさ等を季節や時刻に合わせて変化させる方法がある（例えば、特許文献２参照）。
【０００６】
また、カーナビゲーションで用いられる画像をそのときの時刻や気象情報に基づいて表示制御する方法がある（例えば、特許文献３，４参照）。
【先行技術文献】
【特許文献】
【０００７】
【特許文献１】特開平０５−１９９４９１号公報
【特許文献２】特開平０７−２１０１２３号公報
【特許文献３】特開２０００−３４６６５８号公報
【特許文献４】特開２００２−２８６４６１号公報
【発明の概要】
【発明が解決しようとする課題】
【０００８】
上述した特許文献１〜４では、日時や季節、天候などに応じて画像を自動的に選択して表示したり、色や輝度などの表示用調整データを設定しておくことにより、季節日時や天候に合わせて演出する。しかしながら、これらは画像処理を基本とした表示制御の方法であり、壁などに飾る画像に直接光の演出効果を与えるものではない。
【０００９】
本発明はこのような点に鑑みなされたもので、ユーザの好みの画像に対して光の演出効果を与えて楽しむことのできるライティング装置及び発光制御方法を提供することを目的とする。
【課題を解決するための手段】
【００１０】
本発明に係るライティング装置は、任意の画像が印刷された透過性を有するシートと、このシートの背面に設置された発光手段と、上記画像に対応させた固有の発光パターンを設定する発光パターン設定手段と、この発光パターン設定手段によって設定された上記発光パターンを上記画像に対応付けて記憶する記憶手段と、この記憶手段に記憶された上記発光パターンに基づいて上記発光手段を発光させて上記画像に光の演出効果を与える発光制御手段とを具備したことを特徴とする。
【発明の効果】
【００１１】
本発明によれば、発光パターンを設定しておくことにより、ユーザの好みの画像に対して光の演出効果を与えて楽しむことができる。
【図面の簡単な説明】
【００１２】
【図１】図１は本発明の第１の実施形態に係るライティング装置の構成を示す斜視図である。
【図２】図２は同実施形態におけるライティング装置を側面から見た断面図である。
【図３】図３は同実施形態におけるライティング装置の回路構成を示すブロック図である。
【図４】図４は同実施形態におけるライティング装置の発光パターン設定処理を示すフローチャートである。
【図５】図５は同実施形態におけるライティング装置とＰＣとの関係を示す図である。
【図６】図６は同実施形態におけるライティング装置の発光処理を示すフローチャートである。
【図７】図７は同実施形態におけるライティング装置に用いられる画像の一例を示す図である。
【図８】図８は上記図７の画像に対する発光パターンの一例を示す図である。
【図９】図９は同実施形態におけるライティング装置に用いられるステンドグラス画像の一例を示す図である。
【図１０】図１０は上記図９のステンドグラス画像に対する発光パターンの一例を示す図である。
【図１１】図１１は第２の実施形態におけるライティング装置の発光制御処理を示すフローチャートである。
【図１２】図１２は同実施形態におけるライティング装置を東向きの地下室の壁に設置した場合の一例を示す図である。
【図１３】図１３は同実施形態におけるライティング装置を西向きの地下室の壁に設置した場合の一例を示す図である。
【発明を実施するための形態】
【００１３】
以下、図面を参照して本発明の実施形態について説明する。
【００１４】
（第１の実施形態）
図１は本発明の第１の実施形態に係るライティング装置の構成を示す斜視図である。図２はこのライティング装置を側面から見た断面図である。
【００１５】
本実施形態におけるライティング装置１０は、薄型で直方体形状の装置本体１１を有する。この装置本体１１の正面に設けられた矩形のフレーム１２に任意の画像１が印刷された特殊なシート１ａを装着する。このシート１ａは透過性を有し、後述する発光体１３ａ，１３ｂ，１３ｃ…の光を透過させる特性がある。
【００１６】
装置本体１１には、シート１ａを背面から照らす発光手段として複数の発光体１３ａ，１３ｂ，１３ｃ…が設けられている。発光体１３ａ，１３ｂ，１３ｃ…は、例えばＬＥＤ（light emitting diode）等の発光素子からなる。具体的には、ＲＧＢ３個のＬＥＤを１セットにして、図１の例のように本体正面に所定間隔でマトリクス状に設けられる。これらの発光体１３ａ，１３ｂ，１３ｃ…は、それぞれに独立して制御可能である。
【００１７】
本体正面のフレーム１２内には拡散板１４が配設されている。この拡散板１４の上にシート１ａを載置した状態で発光体１３ａ，１３ｂ，１３ｃ…を発光させると、シート１ａ上の画像１の各箇所をステンドグラスのように光らせることができる。
【００１８】
また、本体正面の上部には、人感・照度センサ１５が設けられている。この人感・照度センサ１５は、人を感知してライティング装置１０の電源をＯＮしたり、部屋の明るさに応じて発光体１３ａ，１３ｂ，１３ｃ…の照度を調整するために用いられる。
【００１９】
本体正面の下部には撮像部１６が設けられている。この撮像部１６は、シート１ａの所定の位置に付された二次元コード１７を読み取るために用いられる。二次元コード１７としては、例えばＱＲコード（登録商標）が用いられる。
【００２０】
なお、図２において、図中の１８は発光体１３ａ，１３ｂ，１３ｃ…が実装されたサーキット基盤（ＬＥＤ実装基盤）、１９は発光制御を行うための制御部（ＬＳＩ）、２０は電源コード、ＡＣアダプタ、充電池などを備えた電源部である。
【００２１】
図３はライティング装置の回路構成を示すブロック図である。なお、図１および図２と同じ部分には同一符号を付して説明する。
【００２２】
図１に示したように、ライティング装置１０には、バックライトして用いられる発光体１３ａ，１３ｂ，１３ｃ…や、二次元コード１７を読み取るための撮像部１６などが設けられている。また、このライティング装置１０には、制御部１９、電源部２０、計時部２１、センサ部２２、発光駆動部２３、記憶部２４、通信部２５などが設けられている。
【００２３】
制御部１９は、マイクロコンピュータからなり、記憶部２３に記憶されたプログラム２４ａを読み込むことにより、ライティング装置全体の制御を行う。本実施形態において、この制御部１９には、本発明に関わる主機能として、発光パターン設定部１９ａと発光制御部１９ｂとが備えられている。発光パターン設定部１９ａは、画像１に対応させた固有の発光パターンを設定する。発光制御部１９ｂは、発光パターン設定部１９ａによって設定された発光パターンに基づいて発光体１３ａ，１３ｂ，１３ｃ…を発光して画像１の各箇所を背面から照らすことで光の演出効果を与える。
【００２４】
電源部２０は、商用電源あるいは図示せぬ充電池からライティング装置の動作に必要な所要の電力を供給する。
【００２５】
計時部２１は、図示せぬ発振回路から出力されるクロック信号に基づいて現在日時を計時する。センサ部２２には、図１に示した人感・照度センサ１５の他、ＧＰＳ（Global Positioning System）センサ２６、方位センサ２７などが設けられている。ＧＰＳセンサ２６は、ＧＰＳを利用して本装置の設置場所の位置情報を検知する。方位センサ２７は、本装置がどの方角に向けて設置されているのかを検知する。発光駆動部２３は、制御部１９の指示により発光体１３ａ，１３ｂ，１３ｃ…を駆動して発光させる。
【００２６】
記憶部２４は、ＲＯＭ，ＲＡＭなどのメモリからなり、プログラム２４ａを含め、本装置の必要な各種データを記憶する。プログラム２４ａとしては、本発明を実現するための制御プログラムの他、撮像部１６によって読み取った二次元コード１７を解析するためのコード解析プログラムなどを含む。
【００２７】
通信部２５は、外部端末（ここでは後述するＰＣ３０）との間でデータの通信処理を行う。また、この通信部２５は、各地域の気象情報を配信しているインターネット上の任意のＷｅｂサイト３１にアクセスする機能を備えている。
【００２８】
次に、同実施形態の動作として、（ａ）発光パターン設定処理、（ｂ）発光処理に分けて説明する。
【００２９】
（ａ）発光パターン設定処理
図４はライティング装置の発光パターン設定処理を示すフローチャートである。この発光パターンの設定処理は、図５に示すようにＰＣ３０をライティング装置１０の装置本体１１に接続した状態で行われる。このＰＣ３０には、発光パターンの設定に必要なアプリケーションソフトが記憶されている。
【００３０】
すなわち、まず、任意の画像１が印刷されたシート１ａをライティング装置１０のフレーム１２にセットした状態で、このライティング装置１０をＰＣ３０に有線あるいは無線にて接続する（ステップＳ１１）。この状態で、ユーザはＰＣ３０に表示された図示せぬ設定画面上で画像１に対する発光パターンを設定する（ステップＳ１２）。
【００３１】
発光パターンには、画像１の中で発光させる箇所、発光させる色、そして、各箇所を発光させるタイミング（タイムライン）などの項目が含まれる。これらの設定項目について、ユーザは所定の操作により適宜設定を行うことで、画像１に固有の発光パターンが作成される。
【００３２】
ここで設定された発光パターンはライティング装置１０に転送され、図３に示した記憶部２４に当該画像１に対応付けられて記憶される（ステップＳ１３）。
【００３３】
この発光パターンをコード化して保存しておくことも可能である。すなわち、ユーザが所定の操作によりコード変換を指示すれば（ステップＳ１４のＹｅｓ）、ＰＣ３０は、上記設定画面で設定された発光パターンを例えばＱＲコード（登録商標）等の二次元コード１７に変換し（ステップＳ１５）、その二次元コード１７に図示せぬシール紙に印刷する（ステップＳ１６）。
【００３４】
このシール紙をシート１ａの所定の位置に貼り付けておけば、シール紙上の二次元コード１７から当該画像１に対応した発光パターンを読み取れるので、以後、同じ画像１を使うときに再度発光パターンを設定する必要がなくなる。
【００３５】
なお、二次元コード１７を画像１と共にシート１ａに印刷しても良い。このようにすれば、二次元コード１７を画像１に貼り付けることなく、常に画像１に対応付けておくことができる。
【００３６】
また、図４の例では、ＰＣ３０を利用して発光パターンを設定する場合について説明したが、ライティング装置１０に上記同様の発光パターン設定機能を持たせておくことも可能である。この場合、ライティング装置１０に操作部を設けておき、ユーザがその操作部を通じて発光パターンを設定する。ここで設定された発光パターンは、画像１に対応付けられて記憶部２４に記憶される。
【００３７】
（ｂ）発光処理
図６はライティング装置の発光処理を示すフローチャートである。「発光処理」とは、ライティング装置１０に設置された発光体１３ａ，１３ｂ，１３ｃ…を発光させる処理のことである。
【００３８】
ライティング装置１０の電源は、ユーザが図示せぬ電源スイッチを操作するか、あるいは、人感・照度センサ１５によって人が感知されたときにＯＮされる。ライティング装置１０の電源がＯＮすると、図２に示した制御部１９は、撮像部１６を通じてシート１ａの所定の位置に二次元コード１７が付されているか否かを判断する（ステップＳ２２）。
【００３９】
シート１ａに二次元コード１７が付されていなかった場合には（ステップＳ２２のＮｏ）、制御部１９は、画像１に設定された発光パターンを記憶部２４から読み出す（ステップＳ２３）。制御部１９は、この読み出した発光パターンに基づいて発光駆動部２３を駆動して、発光体１３ａ，１３ｂ，１３ｃ…を発光させ、シート１ａ上の画像１を背面から照らす（ステップＳ２６）。
【００４０】
一方、シート１ａに二次元コード１７が付されていた場合には（ステップＳ２２のＮｏ）、制御部１９は、撮像部１６によって撮影された二次元コード１７を解読し、シート１ａ上の画像１に対応した発光パターンを取得する（ステップＳ２５）。制御部１９は、この二次元コード１７から得た発光パターンに基づいて発光駆動部２３を駆動して、発光体１３ａ，１３ｂ，１３ｃ…を発光させ、シート１ａ上の画像１を背面から照らす（ステップＳ２６）。
【００４１】
発光体１３ａ，１３ｂ，１３ｃ…の発光制御は、ライティング装置１０の電源がＯＦＦされるまで繰り返し行われる。ユーザが図示せぬ電源スイッチをＯＦＦするか、あるいは、人感・照度センサ１５によって人がいなくなったことが検知されると（ステップＳ２７のＹｅｓ）、制御部１９は、発光体１３ａ，１３ｂ，１３ｃ…を消灯する（ステップＳ２８）。
【００４２】
ここで、発光パターンについて説明する。
【００４３】
（ａ）有色の画像に白色の発光  
（ｂ）無色の画像に有色の発光  
（ｃ）有色の画像に有色の発光
例えば、画像１が有色であった場合（カラー画像）に、発光体１３ａ，１３ｂ，１３ｃ…を白色発光させると、画像１の各部分を鮮やかに光らせることができる。画像１が無色であった場合（モノクロ画像）に、発光体１３ａ，１３ｂ，１３ｃ…を任意の色で発光させることにより、画像１の各部分に色を付けて光らせることができる。さらに、画像１が有色であった場合（カラー画像）に、発光体１３ａ，１３ｂ，１３ｃ…を任意の色で発光させれば、画像１の各部分を元の色とは異なる色に変化させて光らせることができる。
【００４４】
（具体例１)
図７はライティング装置１０に用いられる画像１の一例を示す図である。例えば薔薇の絵が描かれた有色の画像１が印刷されたシート１ａをライティング装置１０にセットして、発光体１３ａ，１３ｂ，１３ｃ…を有色発光させる場合を想定する。
【００４５】
図８は画像１に対する発光パターンの一例を示す図である。発光させる箇所、色、タイミングなどは、図４のステップＳ１２で予め設定されているものとする。ここでは画像１の４箇所の部分を順次有色発光させた場合の例が示されている。図８（ａ）〜（ｄ）の順で発光箇所が切り替わる。図中の２ａ〜２ｄは各タイミングでの発光箇所を示す。なお、図８（ｄ）の次は図８（ａ）から再び繰り返す。
【００４６】
まず、図８（ａ）に示すように、画像１の発光箇所２ａに対応した発光体１３ａ，１３ｂ，１３ｃ…が発光する。この場合、画像１に描かれた薔薇の花が赤色であり、発光体１３ａ，１３ｂ，１３ｃ…を黄色で発光させるように設定されていれば、発光箇所２ａの薔薇の花の部分がオレンジ色に見える。
【００４７】
続いて、図８（ｂ）→同図（ｃ）→同図（ｄ）の順で、画像１の発光箇所２ｂ、２ｃ，２ｄに対応した発光体１３ａ，１３ｂ，１３ｃ…が予め設定された色で順次発光し、薔薇の花の色が様々な色に変化することになる。なお、輝度を含めて設定しておけば、各箇所毎に明るさを変えることも可能である。
【００４８】
（具体例２)
図９は画像３としてステンドグラス画像をライティング装置１０に用いた場合の一例を示す図である。この例では、窓ガラスの前にネコが横たわっている絵が描かれている。３ａは画像３が印刷されたシートであり、シート１ａと同様に透過性を有する。
【００４９】
画像３としては、予め用意されたステンドグラス画像を用いても良いし、任意の画像をステンドグラス変換したものであっても良い。「ステンドグラス変換」とは、画像の線画の各線をつないで幾何学的な形状を有する複数の分割画像で形成し、これらの分割画像を任意の色で着色してステンドグラス風の画像に変換する処理のことである。なお、ここではその詳しい説明は省略するものとする。
【００５０】
図１０は画像３に対する発光パターンの一例を示す図である。発光させる箇所、色、タイミングなどは、図４のステップＳ１２で予め設定されているものとする。ここでは画像１の全体を順次有色発光させた場合の例が示されている。図１０（ａ）〜（ｃ）の順で発光色が切り替わる。なお、図１０（ｃ）の次は図１０（ａ）から再び繰り返す。
【００５１】
まず、図１０（ａ）に示すように、発光体１３ａ，１３ｂ，１３ｃ…が白色で発光する。これにより、画像３の全体が明るく光り、画像３が持つステンドグラスとしての配色特性が強調されることになる。
【００５２】
続いて、図１０（ｂ）→同図（ｃ）の順で、発光体１３ａ，１３ｂ，１３ｃ…が予め設定された色で順次発光する。この場合、発光体１３ａ，１３ｂ，１３ｃ…を赤色で発光すれば、画像３の中の赤色の箇所が強調されて明るく見える。また、発光体１３ａ，１３ｂ，１３ｃ…を緑色で発光すれば、画像３の中の緑色の箇所が強調されて明るく見える。
【００５３】
このように第１の実施形態によれば、発光パターンを設定しておくことにより、ユーザの好みの画像に対して光の演出効果を与えて楽しむことができる。特に、複数に分割された領域を有するステンドグラス画像を用いれば、各領域に対して光の演出効果を与えることができるので、部屋の壁などに飾れば、実際のステンドグラスのように楽しむことができる。
【００５４】
また、発光パターンを設定する際に、画像の中の各箇所を発光させるタイミング（タイムライン）を含めて設定しておけば、そのタイミングに従って各箇所を順に光らせて楽しむことができる。
【００５５】
さらに、発光パターンを二次元コードの形態にしてシートに付しておけば、そのシートに印刷された画像と発光パターンとを１対１に対応付けておくことができるので、同じ画像を用いた場合に発光パターンを再設定することなくライティングすることができる。
【００５６】
（第２の実施形態）
次に、本発明の第２の実施形態について説明する。
【００５７】
第２の実施形態では、上記第１の実施形態の構成に加え、方角や気象などの情報を発光パターンに反映させて光の演出効果を高めるようにしたものである。
【００５８】
なお、ライティング装置１０の構成や基本的な処理の流れは上記第１の実施形態と同様のため、ここでは処理的に異なる点についてのみ説明する。
【００５９】
図１１は第２の実施形態におけるライティング装置の発光制御処理を示すフローチャートである。なお、このフローチャートで示される処理は、上記図６のステップＳ２６で実行される。
【００６０】
ライティング装置１０には、現在日時を計時している計時部２１が備えられている。また、センサ部２２として人感・照度センサ１５の他にＧＰＳセンサ２６および方位センサ２７が備えられている。
【００６１】
ここで、ライティング装置１０の制御部１９は、計時部２１を通じて現在の日時情報を取得する（ステップＳ３１）。また、制御部１９は、方位センサ２７からライティング装置１０を設置した場所の方角情報を取得する（ステップＳ３２）。なお、ライティング装置１０の設置場所の方角とは、図１２の例のようにライティング装置１０を部屋の壁などに立てかけた状態での方角を言う。
【００６２】
制御部１９は、日時情報と方角情報に基づいて画像１に対する日射しの動きを推測し（ステップＳ３３）、その日射しの動きを発光パターンに反映させて発光体１３ａ，１３ｂ，１３ｃ…を発光制御する（ステップＳ３４）。具体的には、時間経過と共に画像１を部分的に明るくするように発光体１３ａ，１３ｂ，１３ｃ…を発光制御して日射しの動きを表現する。
【００６３】
また、ライティング装置１０には、インターネット上の任意のＷｅｂサイト３１にアクセスするための通信機能が備えられている。Ｗｅｂサイト３１は、各地域の気象情報を配信している。
【００６４】
制御部１９は、ＧＰＳセンサ２６から現在の位置情報を取得すると共に（ステップＳ３５）、通信部２５を通じて定期的にＷｅｂサイト３１にアクセスして各地域の気象情報を取得する（ステップＳ３６）。制御部１９は、これらの情報に基づいて現在位置における気象の変化を推測し（ステップＳ３７）、その気象の変化を発光パターンに反映させて発光体１３ａ，１３ｂ，１３ｃ…を発光制御する（ステップＳ３８）。具体的には、気象の変化に合わせて発光体１３ａ，１３ｂ，１３ｃ…の輝度を調整することにより、「晴れ」，「曇り」，「雨」,「雪」といった天候の移り変わりを表現する。
【００６５】
さらに、ライティング装置１０には、ランダム演出機能が備えられている。これは、車や鳥などが横切ったときの影をランダムに発光演出に入れる機能である。このランダム演出機能は、上記図４のステップＳ１２の発光パターン設定時にユーザが任意に設定できるものとする。ランダム演出機能が設定されると、発光パターンのデータの中にランダム演出機能のフラグがセットされる。
【００６６】
ここで、制御部１９は、上記フラグの有無を確認することで、ランダム演出機能が設定なされているか否かを判断する（ステップＳ３９）。ランダム演出機能が設定されていた場合には（ステップＳ３９のＹｅｓ）、制御部１９は、発光体１３ａ，１３ｂ，１３ｃ…を瞬間的に消灯するなどして、画像１の中に車や鳥などが横切ったときの所定の影をランダムに入れて演出する（ステップＳ４０）。
【００６７】
図１２および第１３に具体例を示す。
【００６８】
図１２は東向きの地下室の壁に画像１を有するライティング装置１０を設置した場合の例である。画像１には一般的な絵画などが描かれている。ライティング装置１０の発光体１３ａ，１３ｂ，１３ｃ…の発光制御により、例えば朝日から夕日までの日射しの変化を画像１に与えることができる。
【００６９】
図１３は西向きの地下室の壁に画像３を有するライティング装置１０を設置した場合の例である。画像３はステンドグラス画像である。ライティング装置１０の発光体１３ａ，１３ｂ，１３ｃ…の発光制御により、例えば西日の当たる時間帯に合わせて日射しが強く当たる様を画像１に与えることができる。
【００７０】
さらに、上述したランダム演出機能が設定されていれば、画像１や画像３に対して車や鳥などが横切ったときの影をランダムに入れて演出することができる。
【００７１】
このように第２の実施形態によれば、日時情報、気象情報、方位情報をリアルタイムに取り込んで発光演出に反映させることにより、例えば窓が無い地下室や空間であっても、画像に対して自然な光の演出を加えてライティングすることができる。
【００７２】
さらに、車や鳥などの影が横切る演出を行うことにより、画像に対してより自然な雰囲気を表現することが可能となり、ステンドグラス画像を用いれば、本物のステンドグラスを飾っているような効果を出すことができる。
【００７３】
なお、上記各実施形態では、各種画像をいろいろなパターンで背面から照らす場合を想定して説明したが、例えば１つの画像に対し、１つのパターンだけで照らす構成であっても良い。この場合、設定されたパターンを必ずしも画像に対応付けて記憶しておく必要はない。
【００７４】
要するに、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７５】
以下に、本願出願の当初の特許請求の範囲に記載された発明を付記する。  
［１］
任意の画像が印刷された透過性を有するシートと、
このシートの背面に設置された発光手段と、
上記画像に対応させた固有の発光パターンを設定する発光パターン設定手段と、
この発光パターン設定手段によって設定された上記発光パターンに基づいて上記発光手段を発光させて上記画像に光の演出効果を与える発光制御手段と
を具備したことを特徴とするライティング装置。
【００７６】
［２］
上記発光パターン設定手段によって設定された上記発光パターンを上記画像に対応付けて記憶する記憶手段をさらに備え、
上記発光制御手段は、
上記記憶手段に記憶された上記発光パターンに基づいて上記発光手段を発光させて上記画像に光の演出効果を与えることを特徴とする［１］記載のライティング装置。
【００７７】
［３］
上記発光手段は、独立して制御可能な複数の発光素子から成り、
上記記憶手段に記憶された上記発光パターンに基づいて上記各発光素子を発光させることを特徴とする［２］記載のライティング装置。
【００７８】
［４］
上記発光パターン設定手段によって設定された発光パターンには、上記画像の中の各箇所を発光させるタイミングを含み、
上記発光制御手段は、
上記タイミングに従って上記画像の中で指定された各箇所を順に発光させるように上記各発光手段を制御することを特徴とする［３］記載のライティング装置。
【００７９】
［５］
上記シートの所定の位置に付されたコードデータを読み取るコード読取り手段を備え、
上記発光制御手段は、
上記コード読取り手段によって読み取られたコードデータから当該画像に対応した発光パターンを取得し、その発光パターンに基づいて上記発光手段を発光させて上記画像に光の演出効果を与える［１］乃至［４］のいずれかに記載のライティング装置。
【００８０】
［６］
現在の日時情報を取得する日時取得手段と
設置場所の方角情報を取得する方角情報取得手段とを備え、
上記発光制御手段は、
上記日時取得手段によって取得された日時情報と上記方角情報取得手段によって取得された方角情報とに基づいて上記画像に対する日射し動きを推測し、上記発光パターンに上記日射しの動きを反映させて上記発光手段を制御することを特徴とする［１］乃至［５］のいずれかに記載のライティング装置。
【００８１】
［７］
現在の位置情報を取得する位置取得手段と、
各地域の気象情報を取得する気象情報取得手段とを備え、
上記発光制御手段は、
上記位置取得手段によって取得された位置情報と上記気象情報取得手段によって取得された気象情報とに基づいて現在位置における気象変化を推測し、上記発光パターンに上記気象変化を反映させて上記発光手段を制御することを特徴とする［１］乃至［５］のいずれかに記載のライティング装置。
【００８２】
［８］
ランダム演出機能を設定するランダム演出設定手段を備え、
上記発光制御手段は、
上記ランダム演出設定手段によってランダム演出機能が設定されている場合には、上記画像に対して所定の影をランダムに入れて演出するように上記発光手段を制御することを特徴とする［１］乃至［５］のいずれかに記載のライティング装置。
【００８３】
［９］
任意の画像が印刷された透過性を有するシートと、このシートの背面に設置された発光体とを備えたライティング装置の発光制御方法であって、
上記画像に対応させた固有の発光パターンを設定するステップと、
上記発光パターンに基づいて上記発光体を発光させて上記画像に光の演出効果を与えるステップと
を備えたことを特徴とする発光制御方法。
【符号の説明】
【００８４】
１…画像、１ａ…シート、２ａ〜２ｄ…発光箇所、３…画像（ステンドグラス画像）、３ａ…シート、１０…ライティング装置、１１…装置本体、１２…フレーム、１３ａ，１３ｂ，１３ｃ…発光体、１４…拡散板、１５…人感・照度センサ、１６…撮像部、１７…二次元コード、１８…サーキット基盤（ＬＥＤ実装基盤）、１９…制御部（ＬＳＩ）、２０…電源部、２１…計時部、２２…センサ部、２３…発光駆動部、２４…記憶部、２４ａ…プログラム、２５…通信部、２６…ＧＰＳセンサ、２７…方位センサ。
【図１】
2015039880.tif 000003
【図２】
2015039880.tif 000004
【図３】
2015039880.tif 000005
【図４】
2015039880.tif 000006
【図５】
2015039880.tif 000007
【図６】
2015039880.tif 000008
【図７】
2015039880.tif 000009
【図８】
2015039880.tif 000010
【図９】
2015039880.tif 000011
【図１０】
2015039880.tif 000012
【図１１】
2015039880.tif 000013
【図１２】
2015039880.tif 000014
【図１３】
2015039880.tif 000015